(57)【要約】【課題】ユーザの配合が、科学的指標に基づいて適切か否かを評価できる配合評価装置及び配合装置を提供する。【解決手段】配合評価装置は、複数の飲料原料と複数の飲料原料の配合割合とを示す配合情報を受信する通信部と、飲料原料の成分の科学的指標値と配合割合とに基づいて、複数の飲料原料を配合割合で配合した配合飲料の成分の科学的指標値を算出する成分算出部と、配合飲料の成分の科学的指標値と、成分の科学的指標値の基準値との類似度に基づき、評価値を算出する評価部と、を備える。【選択図】図１
2018094076.tif 000002
【特許請求の範囲】
【請求項１】
複数の飲料原料と前記複数の飲料原料の配合割合とを示す配合情報を受信する通信部と、
前記飲料原料の成分の科学的指標値と前記配合割合とに基づいて、前記複数の飲料原料を前記配合割合で配合した配合飲料の成分の科学的指標値を算出する成分算出部と、
前記配合飲料の成分の科学的指標値と、成分の科学的指標値の基準値との類似度に基づき、評価値を算出する評価部と、
を備える、
配合評価装置。
【請求項２】
前記科学的指標値は、酸味、塩味、苦味、旨味、甘味の少なくも１つの成分の数値を含む、
請求項１に記載の配合評価装置。
【請求項３】
前記科学的指標値は、栄養素の指標の少なくも１つの成分の数値を含む、
請求項１に記載の配合評価装置。
【請求項４】
前記通信部は、成分の科学的指標値の基準値を受信し、
前記成分算出部は、前記基準値を更新する、
請求項１に記載の配合評価装置。
【請求項５】
前記通信部は、前記配合飲料を抽出する配合装置から、前記配合情報を受信し、前記配合装置へ前記評価値を送信する、
請求項１に記載の配合評価装置。
【請求項６】
前記通信部は、前記配合情報が入力された無線端末から、前記配合情報を受信し、前記無線端末へ前記評価値を送信する、
請求項１に記載の配合評価装置。
【請求項７】
複数の飲料原料と前記複数の飲料原料の配合割合とを示す配合情報を取得する入力部と、
前記飲料原料の成分の科学的指標値と前記配合割合とに基づいて、前記複数の飲料原料を前記配合割合で配合した配合飲料の成分の科学的指標値を算出する成分算出部と、
前記配合飲料の成分の科学的指標値と、成分の科学的指標値の基準値との類似度に基づき、評価値を算出する評価部と、
前記評価値を表示する表示部と、
を備える、
配合装置。
【発明の詳細な説明】
【技術分野】
【０００１】
本開示は、配合評価装置及び配合装置に関する。特に、飲料配合評価装置及び飲料配合装置に関する。
【背景技術】
【０００２】
近年、ユーザの嗜好の多様化に伴い、飲料等を配合する機器が普及しつつある。これに対して、例えば、特許文献１には、識別タグに書き込まれる飲料情報に基づき、飲料供給手段を制御して複数の各容器に所定の飲料を注入させる飲料充填システムが開示されている。
【先行技術文献】
【特許文献】
【０００３】
【特許文献１】特開２０１０−７０２５０号公報
【発明の概要】
【発明が解決しようとする課題】
【０００４】
しかしながら、特許文献１の飲料充填システムでは、ユーザに飲料等の配合を委ねているため、適切な配合を行うことが容易ではない。
【０００５】
上記事情を鑑み、例示的な実施の形態は、ユーザの配合が、科学的指標に基づいて適切か否かを評価できる配合評価装置及び配合装置を提供する。
【課題を解決するための手段】
【０００６】
本開示の一態様に係る配合評価装置は、複数の飲料原料と前記複数の飲料原料の配合割合とを示す配合情報を受信する通信部と、前記飲料原料の成分の科学的指標値と前記配合割合とに基づいて、前記複数の飲料原料を前記配合割合で配合した配合飲料の成分の科学的指標値を算出する成分算出部と、前記配合飲料の成分の科学的指標値と、成分の科学的指標値の基準値との類似度に基づき、評価値を算出する評価部と、を備える。
【０００７】
本開示の一態様に係る配合装置は、複数の飲料原料と前記複数の飲料原料の配合割合とを示す配合情報を取得する入力部と、前記飲料原料の成分の科学的指標値と前記配合割合とに基づいて、前記複数の飲料原料を前記配合割合で配合した配合飲料の成分の科学的指標値を算出する成分算出部と、前記配合飲料の成分の科学的指標値と、成分の科学的指標値の基準値との類似度に基づき、評価値を算出する評価部と、前記評価値を表示する表示部と、を備える。
【０００８】
なお、これらの包括的または具体的な態様は、システム、方法、集積回路、コンピュータプログラムまたはコンピュータ読み取り可能なＣＤ−ＲＯＭなどの非一時的な記録媒体で実現されてもよく、システム、装置、方法、集積回路、コンピュータプログラムおよび記録媒体の任意な組み合わせで実現されてもよい。
【発明の効果】
【０００９】
本開示の一態様によれば、ユーザの配合が、科学的指標に基づいて適切かを評価可能となり、ユーザが容易に配合を調整できる。
【００１０】
本開示の一態様における更なる利点および効果は、明細書および図面から明らかにされる。かかる利点および／または効果は、いくつかの実施形態並びに明細書および図面に記載された特徴によってそれぞれ提供されるが、１つまたはそれ以上の同一の特徴を得るために必ずしも全てが提供される必要はない。
【図面の簡単な説明】
【００１１】
【図１】本開示の一実施形態に係るシステム構成の一例を示す図
【図２】本開示の一実施形態における指標ＤＢの一例を示す図
【図３】本開示の一実施形態における表示画面の一例を示す図
【図４】本開示の一実施形態における表示画面の一例を示す図
【図５】本開示の一実施形態における表示画面の一例を示す図
【図６】本開示の一実施形態における表示画面の一例を示す図
【図７】本開示の一実施形態における表示画面の一例を示す図
【図８】本開示の一実施形態における表示画面の一例を示す図
【図９】本開示の一実施形態における動作フローの一例を示す図
【図１０】本開示の一実施形態における動作の流れの一例を示すシーケンス図
【図１１】本開示の一実施形態の変形例に係るディスペンサの一例を示す図
【発明を実施するための形態】
【００１２】
以下、本開示の実施の形態について、図面を参照して詳細に説明する。なお、以下に説明する実施の形態は一例であり、本開示は以下の実施の形態により限定されるものではない。
【００１３】
（一実施形態）
＜システム構成＞
図１は、本実施形態に係るシステム構成の一例を示す図である。図１に示すシステムは、ディスペンサ１とサーバ２とがネットワークＮを介して接続された構成を有する。
【００１４】
ディスペンサ１は、例えば、飲食店等に設置され、飲食店の利用者の操作を受けつけて、操作に基づいた飲料や飲料に関する情報を提供する装置である。また、ディスペンサ１は、複数の飲料を配合した飲料（配合飲料）を提供する。
【００１５】
サーバ２は、ディスペンサ１が利用者から受け付けた情報（後述する配合情報等）を受信し、受信した情報に応じた情報（後述する評価値等）をディスペンサ１へ送信する装置である。
【００１６】
ネットワークＮは、無線ネットワークであっても良いし、有線ネットワークであっても良い。また、ネットワークＮには、複数のディスペンサ１、複数のサーバ２が接続されていても良い。
【００１７】
ディスペンサ１は、通信部１０、表示装置１１、入力装置１２、飲料原料タンク１３、抽出量制御機構１４、飲料取出し口１５、レシピＤＢ（database）１６、および、コントローラ１７を備える。
【００１８】
通信部１０は、ネットワークＮを介して、サーバ２と通信を行うインタフェースである。
【００１９】
表示装置１１は、例えば、液晶ディスプレイ（ＬＣＤ：Liquid Crystal Display）であり、コントローラ１７から出力される情報等を表示する。
【００２０】
入力装置１２は、例えば、表示装置１１の表面に設けられるタッチパネルであり、利用者の操作を受けつけて、受け付けた操作情報をコントローラ１７へ出力する。
【００２１】
飲料原料タンク１３は、水、炭酸水、各種シロップ等がそれぞれ収容されたタンクにより構成される。
【００２２】
抽出量制御機構１４は、コントローラ１７の制御に応じて、飲料原料タンク１３から抽出する量を制御する機構である。例えば、抽出量制御機構１４は、ノズル、バルブ、ポンプ等から構成される。
【００２３】
飲料取出し口１５は、コップ、グラス等の空の容器が載置されるスペースである。例えば、利用者が、入力装置１２を操作すると、飲料が飲料原料タンク１３から抽出量制御機構１４を介して飲料取出し口１５に載置されたコップに注入される。
【００２４】
レシピＤＢ１６は、各飲料原料のレシピを記憶しているデータベースである。例えば、「コーラ」の飲料原料のレシピには、コーラのシロップと炭酸水との配合の比率（基準配合割合）が記憶されている。レシピＤＢ１６は、ディスペンサ１が各飲料原料、複数の飲料原料のうち少なくとも一つを配合して生成される配合飲料を抽出する際にコントローラ１７により参照される。
【００２５】
コントローラ１７は、ディスペンサ１の各部を制御する。コントローラ１７は、表示制御部１７ａおよび抽出量制御部１７ｂを備える。
【００２６】
表示制御部１７ａは、表示装置１１に表示される情報を生成し、表示装置１１に表示させる。例えば、表示制御部１７ａは、通信部１０を介してサーバ２から送信された情報を受信し、受信した情報を表示装置１１に表示させる。また、表示制御部１７ａは、入力装置１２が受け付けた利用者の操作情報を取得し、操作情報に応じた表示制御を行う。
【００２７】
また、表示制御部１７ａは、利用者の操作情報に基づいて、サーバ２へ送信する情報を生成し、通信部１０を介してサーバ２へ送信する。
【００２８】
抽出量制御部１７ｂは、入力装置１２を介して飲料の抽出の指示を取得し、レシピＤＢ１６および抽出する配合飲料の配合割合を参照して抽出量制御機構１４を制御し、配合飲料を抽出する。
【００２９】
サーバ２は、通信部２０、指標ＤＢ２１、自分レシピＤＢ２２、および、コントローラ２３を備える。
【００３０】
通信部２０は、ネットワークＮを介して、ディスペンサ１と通信を行うインタフェースである。
【００３１】
指標ＤＢ２１は、飲料原料の種類と、その飲料原料それぞれの成分の科学的指標値とを対応付けて記憶しているデータベースである。なお、指標ＤＢ２１の一例については後述する。
【００３２】
自分レシピＤＢ２２は、利用者と、利用者が作成したレシピとを対応づけて記憶しているデータベースである。利用者が作成したレシピとは、例えば、利用者が抽出を行った配合飲料の飲料原料と、その飲料原料の配合割合とを含む。
【００３３】
コントローラ２３は、サーバ２の各部を制御する。コントローラ２３は、成分算出部２３ａおよび評価部２３ｂを備える。
【００３４】
成分算出部２３ａは、ディスペンサ１から、通信部２０を介して、ディスペンサ１において利用者が選択した飲料原料とその飲料原料の配合割合を示す配合情報を受信する。そして、成分算出部２３ａは、利用者が選択した飲料原料の各成分の科学的指標値と、配合情報に示される配合割合とに基づいて、利用者が選択した飲料原料をその配合割合で配合した配合飲料の各成分の科学的指標値を算出する。成分算出部２３ａは、算出した科学的指標値を、通信部２０を介して、ディスペンサ１へ送信する。なお、配合飲料の科学的指標値の算出方法については後述する。
【００３５】
評価部２３ｂは、成分算出部２３ａが算出した各成分の科学的指標値と、各成分の科学的指標値の基準値との類似度に基づいて、評価値を算出する。そして、評価部２３ｂは、算出した評価値を、通信部２０を介して、ディスペンサ１へ送信する。なお、評価値の算出方法については後述する。
【００３６】
＜指標ＤＢの一例＞
図２は、本実施形態における指標ＤＢ２１の一例を示す図である。図２に示す指標ＤＢ２１は、科学的指標値として、「酸味」、「塩味」、「苦味」、「旨味」および「甘味」の５つの基本味（五味）の各成分の数値を用いる例である。
【００３７】
そして、図２に示す指標ＤＢ２１には、「コーラ」、「緑茶」等の飲料原料の種類と、飲料原料それぞれに対する５つの基本味の各成分の数値とが対応付けられている。
【００３８】
図２に示す５つの基本味の数値は、満点を１００点とした場合の数値である。満点の基準は、例えば、５つの基本味それぞれについて予め決められている。飲料原料の５つの基本味の各成分の数値は、満点の基準に対する相対的な数値として、予め算出されている。
【００３９】
＜科学的指標値の算出方法＞
次に、成分算出部２３ａにおける配合飲料の科学的指標値の算出方法について説明する。なお、以下に説明する算出方法は、図２と同様に、科学的指標値として、５つの基本味（五味）の各成分の数値を用いる。
【００４０】
配合情報は、複数の飲料原料と、その飲料原料の配合割合とを含んでいる。成分算出部２３ａは、図２のような指標ＤＢ２１を参照して、各飲料原料の５つの基本味の数値を配合割合に基づいて加算する。
【００４１】
例えば、配合情報が、「オレンジ果汁」が５０％、「グレープフルーツ果汁」が５０％の割合で配合することを示す場合、成分算出部２３ａは、「オレンジ果汁」の「酸味」のそれぞれの数値と、「グレープフルーツ果汁」の「酸味」のそれぞれの配合割合とを乗算し、乗算した結果を加算する。つまり、「オレンジ果汁」、「グレープフルーツ果汁」を５０％対５０％の割合で配合した飲料（以下、配合飲料という）の「酸味」について、成分算出部２３ａは、１０×０．５＋２０×０．５＝１５という結果を算出する。同様に、配合飲料の「塩味」は、０×０．５＋０×０．５＝０という結果になり、配合飲料の「苦味」は、３×０．５＋３０×０．５＝１６．５という結果になり、配合飲料の「旨味」は、５×０．５＋０×０．５＝２．５という結果になり、配合飲料の「甘味」は、２０×０．５＋５×０．５＝１２．５という結果になる。
【００４２】
＜評価値の算出方法＞
次に、評価部２３ｂにおける評価値の算出方法の一例について説明する。
【００４３】
評価部２３ｂは、成分算出部２３ａが算出した配合飲料の各成分の科学的指標値と、各成分の科学的指標値の基準値との類似度に基づいて、配合飲料の評価値を算出する。
【００４４】
具体的には、評価部２３ｂは、配合飲料の各成分の科学的指標値に対してバランスを評価する。例えば、科学的指標値が５つの基本味の各成分の数値である場合、評価部２３ｂは、５つの基本味のバランスを評価する。まず、評価部２３ｂは、配合飲料の５つの基本味の数値を５次元ベクトルとして規定する。そして、評価部２３ｂは、配合飲料の５次元ベクトルと、基準となる５つの基本味の数値を示す５次元ベクトルとの正規化を行う。そして、評価部２３ｂは、正規化によりベクトルの大きさが揃った２つの５次元ベクトルの類似度をベクトルの内積演算により算出する。そして、評価部２３ｂは、算出した類似度を表示に適した数値（例えば、０〜１００までのいずれかの数値）に変換することにより、評価値を算出する。
【００４５】
また、評価部２３ｂは、配合飲料の各成分の科学的指標値に対して全体の強さを評価しても良い。例えば、科学的指標値が５つの基本味の各成分の数値である場合、評価部２３ｂは、５つの基本味の全体の強さを評価する。具体的には、評価部２３ｂは、配合飲料の５つの基本味の数値を５次元ベクトルとして規定し、配合飲料の５次元ベクトルの大きさ（ベクトルのノルム）を算出する。そして、評価部２３ｂは、算出したベクトルの大きさと基準値とを比較し、５つの基本味の全体の強さを評価値として算出する。
【００４６】
また、評価部２３ｂは、バランスと強さの両方を加味した評価値を算出しても良い。例えば、評価部２３ｂは、上述したバランスを示す評価値と、全体の強さを示す評価値とを、重み付け加算して得られる値を、バランスと強さの両方を加味した評価値として算出する。この場合、バランスを示す評価値と全体の強さを示す評価値との加算の方法は、経験的に、あるいは、実験的に得られる方法でも良い。
【００４７】
評価部２３ｂが用いる基準値は、予め、データベース等に記憶されていても良い。あるいは、評価部２３ｂは、例えば、通信部２０を介して他の装置から受信した更新用の基準値を用いて、更新してもよい。
【００４８】
＜表示画面の例と動作の流れ＞
次に、表示装置１１に表示される表示画面の例を参照しながら、本実施における動作の流れについて説明する。図３〜図８は、本実施形態における表示画面の一例を示す図である。なお、図３〜図８に示す例は、科学的指標値として、５つの基本味の各成分の数値を用いる例である。
【００４９】
図３は、飲料原料の選択画面の一例を示す。図３に示す表示画面には、飲料の配合に使用できる飲料原料の名称が並べて表示される。また、図３に示す表示画面には、利用者へ選択を促す文字情報と、利用者からの指示を受け付ける各種ボタン等が表示される。
【００５０】
図３に示すように、飲料原料は、「コーラ」、「ジンジャーエール」などのレシピＤＢ１６に記憶されたレシピに基づいて配合される飲料であっても良いし、「オレンジ果汁」、「レモン果汁」などの原料、つまり、飲料の成分である原料であっても良い。
【００５１】
利用者は、図３に示す表示画面にて、合成したい飲料を３つ選択する。図３の例では、「コーラ」、「ライム果汁」、「ブドウ果汁」が選択された状態である。選択された飲料原料の表示は、例えば、色等の表示態様が変更される。利用者は、合成したい飲料を選択した後、「決定」ボタンを押下する。表示制御部１７ａは、「決定」ボタンの操作を取得し、利用者によって選択された飲料原料の情報を取得する。
【００５２】
また、利用者は、飲料原料の選択をやりなおす場合、図３に示す表示画面にて「やりなおし」ボタンを押下する。表示制御部１７ａは、「やりなおし」ボタンの操作を取得し、一度選択された飲料原料の表示態様を元の態様に戻す。また、利用者は、前の画面に戻って別の操作を行いたい場合、図３に示す表示画面にて「前画面へ」ボタンを押下する。表示制御部１７ａは、「前画面へ」ボタンの操作を取得し、図３に示す表示画面の前に表示された画面を再び表示させる。例えば、図３に示す表示画面の前には、合成飲料の抽出を行うか、または、通常の飲料（つまり、合成しない飲料）の抽出を行うか、を選択する画面が表示されている。
【００５３】
表示制御部１７ａは、利用者によって選択された飲料原料の情報を取得した場合、デフォルトの配合割合として、選択された飲料原料が互いに等しい割合となる配合割合を設定する。そして、表示制御部１７ａは、利用者によって選択された飲料原料と、設定した配合割合とを示す配合情報を成分算出部２３ａへ送信する。
【００５４】
成分算出部２３ａは、表示制御部１７ａから配合情報を受信し、５つの基本味それぞれの数値（科学的指標値）を算出する。そして、成分算出部２３ａは、算出結果を表示制御部１７ａへ送信する。表示制御部１７ａは、選択された飲料原料の配合割合の受付画面と、デフォルトの配合割合と、デフォルトの配合割合の５つの基本味の数値を表示させる。
【００５５】
図４は、選択された飲料原料の配合割合の受付画面と５つの基本味の数値の表示例である。表示領域Ａ１は、配合割合の受付画面であり、選択された飲料原料と、そのデフォルトの配合割合が表示されている。表示領域Ａ２には、デフォルトの配合割合に基づいて算出された５つの基本味の数値を示す五角形のレーダーチャートが表示される。また、図４に示す表示画面には、利用者へ配合割合の変更を促す文字情報と、利用者からの指示を受け付ける各種ボタン等が表示される。
【００５６】
利用者は、図４に示す配合割合にて配合された配合飲料を評価したい場合、「評価」ボタンを押下することにより、評価の指示を行う。表示制御部１７ａは、評価の指示を取得し、評価の指示と評価を行う配合情報を成分算出部２３ａへ送信する。
【００５７】
成分算出部２３ａは、表示制御部１７ａから配合情報を取得し、５つの基本味それぞれの数値を算出する。また、評価部２３ｂは、成分算出部２３ａが算出した５つの基本味それぞれの数値に基づいて、評価値を算出する。成分算出部２３ａと評価部２３ｂは、それぞれの算出結果を、表示制御部１７ａへ送信する。表示制御部１７ａは、選択された飲料原料の配合割合の受付画面と、デフォルトの配合割合と、デフォルトの配合割合の５つの基本味の数値と共に評価値を表示させる。
【００５８】
図５は、図４が示す配合割合の評価結果の表示例である。図５に示す表示例は、図４に対して、表示領域Ａ２に評価値が「おいしさ度」として表示されている。
【００５９】
利用者は、表示領域Ａ１のシークバーを操作して各飲料原料の配合割合を変更することができる。表示制御部１７ａは、配合割合が変更される度に、その配合割合を含む配合情報を成分算出部２３ａへ送信する。成分算出部２３ａは、変更された配合割合に対する５つの基本味の数値を算出する。これらの処理により、表示制御部１７ａは、利用者が配合割合を変更する度に、その変更された配合割合が示す５つの基本味の数値を表示させる。
【００６０】
図６は、図５の表示例に対して配合割合が変更された状態の表示例である。図６は、利用者が、表示領域Ａ１にて、「コーラ」、「ライム果汁」、「ブドウ果汁」の配合割合をそれぞれ６０％、３０％、１０％に変更した状態である。また、表示領域Ａ２には、表示領域Ａ１に設定された配合割合によって算出された５つの基本味の数値が表示されている。
【００６１】
利用者は、図６に示す変更後の配合割合にて配合された配合飲料を評価したい場合、再び、「評価」ボタンを押下することにより、評価の指示を行う。表示制御部１７ａは、評価の指示を取得し、評価の指示と評価を行う配合情報を成分算出部２３ａへ送信する。
【００６２】
成分算出部２３ａは、表示制御部１７ａから変更後の配合割合を示す配合情報を受信し、５つの基本味それぞれの数値を算出する。また、評価部２３ｂは、成分算出部２３ａが算出した５つの基本味それぞれの数値に基づいて、評価値を算出する。成分算出部２３ａと評価部２３ｂは、それぞれの算出結果を、表示制御部１７ａへ送信する。表示制御部１７ａは、選択された飲料原料の配合割合の受付画面と、変更後の配合割合と、変更後の配合割合の５つの基本味の数値と共に評価値を表示させる。
【００６３】
図７は、図６に示した配合割合の評価結果の表示例である。図７に示す表示例は、図６に対して、表示領域Ａ２に評価値が「おいしさ度」として表示されている。
【００６４】
利用者は、図８に示した評価値、つまり、「おいしさ度」を参照して、変更後の配合割合にて配合した配合飲料を抽出したい場合には、「抽出」ボタンを押下して抽出の指示を行う。抽出量制御部１７ｂは、抽出の指示を取得し、抽出量制御機構１４を制御することにより、配合情報が示す配合飲料を抽出する。
【００６５】
図３〜図８を参照して説明した動作の流れにより、利用者が合成したい飲料原料の選択と選択した飲料原料の配合割合を設定することにより、設定した配合割合によって配合される飲料の評価が行われる。
【００６６】
＜動作フロー＞
次に、図１に示したシステムにおける動作フローについて説明する。図９は、本実施形態における動作フローの一例を示す図である。図９に示す動作フローは、例えば、図１の表示制御部１７ａが、利用者から、配合飲料の生成の指示を取得した際に開始される。
【００６７】
ステップ３０１（Ｓ３０１）にて、ディスペンサ１の表示制御部１７ａは、例えば、図３に示した表示例のように、使用できる飲料原料の情報を表示装置１１に表示させる。使用できる飲料原料とは、ディスペンサ１の飲料原料タンク１３から抽出可能な飲料原料である。例えば、飲料原料タンク１３の中で、中身が不足しているタンク、あるいは、空になっているタンクがあれば、そのタンクの中身を使用する飲料原料は、使用できない飲料原料となる。
【００６８】
Ｓ３０２にて、表示制御部１７ａは、利用者が入力装置１２を介して選択した飲料原料の情報を取得する。
【００６９】
Ｓ３０３にて、表示制御部１７ａは、デフォルト設定として、選択した飲料原料を等しい割合で配合する配合割合を設定し、選択された飲料原料と、設定した配合割合を示す配合情報を成分算出部２３ａへ送信する。
【００７０】
Ｓ３０４にて、成分算出部２３ａは、表示制御部１７ａから、選択された飲料原料と、その配合割合を示す配合情報を受信する。
【００７１】
Ｓ３０５にて、成分算出部２３ａは、配合情報が示す配合飲料の各成分の科学的指標値を算出する。
【００７２】
Ｓ３０６にて、成分算出部２３ａは、算出した各成分の科学的指標値を算出結果として、表示制御部１７ａへ送信する。
【００７３】
Ｓ３０７にて、表示制御部１７ａは、例えば、図４の表示例のように、選択された飲料原料の配合割合を受け付ける画面と各成分の科学的指標値を表示装置１１に表示させる。その際、表示制御部１７ａは、配合情報が示す配合飲料の評価の指示を受け付ける操作ボタン、および、配合情報が示す配合飲料の抽出の指示を受け付ける操作ボタン等を表示させる。
【００７４】
Ｓ３０８にて、表示制御部１７ａは、利用者が配合割合を変更したか否かを判定する。利用者が配合割合を変更した場合（Ｓ３０８にてＹＥＳ）、Ｓ３０９の処理へ移行する。利用者が配合割合を変更しない場合（Ｓ３０８にてＮＯ）、Ｓ３１０の処理へ移行する。
【００７５】
Ｓ３０９にて、表示制御部１７ａは、利用者が入力装置１２を介して変更した配合割合の情報を取得し、利用者により変更された配合割合を含む配合情報の情報を成分算出部２３ａへ送信する。そして、Ｓ３０４の処理へ戻る。
【００７６】
Ｓ３１０にて、表示制御部１７ａは、利用者から、配合情報が示す配合飲料の評価の指示を取得したか否かを判定する。評価の指示を取得した場合（Ｓ３１０にてＹＥＳ）、Ｓ３１１の処理へ移行する。評価の指示を取得しない場合（Ｓ３１０にてＮＯ）、Ｓ３１６の処理へ移行する。
【００７７】
Ｓ３１１にて、成分算出部２３ａは、表示制御部１７ａから、評価の指示および配合情報を受信する。なお、表示制御部１７ａは、配合情報がＳ３０３またはＳ３０９にて成分算出部２３ａへ送信した配合情報から変更されていない場合、評価の指示のみを送信しても良い。
【００７８】
Ｓ３１２にて、成分算出部２３ａは、配合情報が示す配合飲料の各成分の科学的指標値を算出する。
【００７９】
Ｓ３１３にて、評価部２３ｂは、成分算出部２３ａが算出した各成分の科学的指標値から、評価値を算出する。
【００８０】
Ｓ３１４にて、成分算出部２３ａと評価部２３ｂは、それぞれの算出結果を表示制御部１７ａへ送信する。
【００８１】
Ｓ３１５にて、表示制御部１７ａは、例えば、図５の表示例のように、取得した各成分の科学的指標値および評価値を表示装置１１に表示させる。その際、表示制御部１７ａは、配合割合の受付画面等も合わせて表示させる。
【００８２】
Ｓ３１６にて、表示制御部１７ａは、利用者から、配合情報が示す配合飲料の抽出の指示を取得したか否かを判定する。抽出の指示を取得した場合（Ｓ３１６にてＹＥＳ）、Ｓ３１７の処理へ移行する。評価の指示を取得しない場合（Ｓ３１６にてＮＯ）、Ｓ３０８の処理へ戻る。
【００８３】
Ｓ３１７にて、抽出量制御部１７ｂは、抽出の指示および配合情報を取得し、抽出量制御機構１４を制御することにより、配合情報が示す配合飲料を抽出する。その際、表示制御部１７ａは、抽出を行った配合飲料の情報を利用者が作成したレシピとして、作成した利用者と関連付けて自分レシピＤＢ２２に記憶する。そして、動作フローは終了する。
【００８４】
以上説明した動作フローによって、サーバ２は、利用者が選択した飲料原料を、利用者が設定した配合割合に基づいて配合した配合飲料の評価値を算出する。
【００８５】
次に、図９に示した動作フローにおいて、利用者が、ディスペンサ１を操作して飲料の抽出を行う際の動作の流れの一例について説明する。図１０は、本実施形態における動作の流れの一例を示すシーケンス図である。図１０に示すシーケンスの動作は、利用者が、配合飲料の生成の指示に関する操作を行った際に開始される。
【００８６】
ステップ４０１（Ｓ４０１）にて、ディスペンサ１の表示制御部１７ａは、例えば、図３に示した表示例のように、使用できる飲料原料の情報を表示装置１１に表示させる。
【００８７】
Ｓ４０２にて、利用者は、表示された飲料原料の情報を参照して、飲料原料を選択する。Ｓ４０３にて、表示制御部１７ａは、利用者が入力装置１２を介して選択した飲料原料の情報を取得する。
【００８８】
Ｓ４０４にて、表示制御部１７ａは、デフォルト設定として、選択した飲料原料を等しい割合で配合する配合割合を設定する。Ｓ４０５にて、表示制御部１７ａは、選択された飲料原料と、設定した配合割合を示す配合情報をサーバ２の成分算出部２３ａへ送信する。
【００８９】
Ｓ４０６にて、成分算出部２３ａは、配合情報が示す配合飲料の各成分の科学的指標値を算出する。Ｓ４０７にて、成分算出部２３ａは、算出した各成分の科学的指標値を算出結果として、表示制御部１７ａへ送信する。
【００９０】
Ｓ４０８にて、表示制御部１７ａは、選択された飲料原料の配合割合を受け付ける画面と各成分の科学的指標値を表示装置１１に表示させる。
【００９１】
Ｓ４０９にて、利用者は、表示内容を確認して、飲料原料の配合割合を変更する。Ｓ４１０にて、表示制御部１７ａは、利用者が入力装置１２を介して変更した配合割合の情報を取得する。Ｓ４１１にて、表示制御部１７ａは、利用者により変更された配合割合を含む配合情報の情報を成分算出部２３ａへ送信する。
【００９２】
Ｓ４１２にて、成分算出部２３ａは、配合情報が示す配合飲料の各成分の科学的指標値を算出する。Ｓ４１３にて、成分算出部２３ａは、算出した各成分の科学的指標値を算出結果として、表示制御部１７ａへ送信する。
【００９３】
Ｓ４１４にて、表示制御部１７ａは、選択された飲料原料の配合割合を受け付ける画面と各成分の科学的指標値を表示装置１１に表示させる。
【００９４】
Ｓ４１５にて、利用者は、表示内容を確認して、変更した配合割合で選択された飲料原料を配合した配合飲料（配合情報が示す配合飲料）の評価を行うために、評価ボタンを押下する。Ｓ４１６にて、表示制御部１７ａは、利用者から評価の指示を取得する。
【００９５】
Ｓ４１７にて、成分算出部２３ａは、表示制御部１７ａから通信部２０を介して、評価の指示および配合情報を受信する。Ｓ４１８にて、成分算出部２３ａは、配合情報が示す配合飲料の各成分の科学的指標値を算出する。Ｓ４１９にて、評価部２３ｂは、成分算出部２３ａが算出した各成分の科学的指標値から、評価値を算出する。Ｓ４２０にて、成分算出部２３ａと評価部２３ｂは、それぞれの算出結果を表示制御部１７ａへ送信する。
【００９６】
Ｓ４２１にて、表示制御部１７ａは、各成分の科学的指標値および評価値を表示装置１１に表示させる。その際、表示制御部１７ａは、配合割合の受付画面等も合わせて表示させる。
【００９７】
Ｓ４２２にて、利用者は、表示内容（例えば、評価値）を確認して、配合情報が示す配合飲料の抽出を行うために、抽出ボタンを押下する。Ｓ４２３にて、表示制御部１７ａは、利用者から抽出の指示を取得する。そして、Ｓ４２４にて、抽出量制御部１７ｂは、抽出の指示および配合情報を取得し、抽出量制御機構１４を制御することにより、配合情報が示す配合飲料を抽出する。
【００９８】
以上説明したシーケンスにより、利用者は、好みの飲料原料の選択、選択した飲料原料の配合割合の調整を行い、調整した配合割合で選択された飲料原料を配合した配合飲料の評価を行うことができる。
【００９９】
なお、図１０では、利用者が、配合割合の変更と評価とを１度ずつ行う例について説明したが、図９に示したように、利用者は、配合割合の変更を複数回行っても良いし、評価を複数回行っても良い。
【０１００】
以上、説明したように、本実施形態では、サーバ２（本開示の配合評価装置）において、通信部２０は、複数の飲料原料と複数の飲料原料の配合割合とを示す配合情報を受信する。そして、成分算出部２３ａは、飲料原料の成分の科学的指標値と配合割合とに基づいて、複数の飲料原料を配合割合で配合した配合飲料の成分の科学的指標値を算出する。そして、評価部２３ｂは、配合飲料の成分の科学的指標値と、成分の科学的指標値の基準値との類似度に基づき、評価値を算出する。この構成により、ユーザ（利用者）が設定した飲料原料の配合が、科学的指標に基づいて適切かを評価可能となり、ユーザ（利用者）が容易に配合を調整できる。
【０１０１】
なお、上述した実施形態では、科学的指標値として５つの基本味を用いる例について説明したが、本開示はこれに限定されない。科学的指標値は、複数では無く、１つであっても良い。例えば、５つの基本味の少なくとも１つの成分の数値を科学的指標値として用いても良い。あるいは、科学的指標値として栄養素等の別の指標の数値を用いてもよい。例えば、カロリー、たんぱく質、脂質、糖分、カフェイン等の指標の数値であっても良い。
【０１０２】
また、上述した実施形態では、科学的指標値として５つの基本味を用いる例について説明したが、５つの基本味の時間的変化から判断される指標（例えば、「コク」、「キレ」）であっても良い。
【０１０３】
また、上述した実施形態では、選択される飲料原料の数を３としたが、選択される数は３でなくても良い。例えば、利用者が、選択する数を設定しても良い。
【０１０４】
また、上述した実施形態では、成分算出部２３ａが、各飲料原料の科学的指標値を配合割合に基づいた加算演算を行うことにより、配合飲料の各成分の科学的指標値を算出する例について説明したが、本開示はこれに限定されない。成分算出部２３ａは、より高度な演算を行って配合情報に対応する各成分の科学的指標値を算出してもよい。
【０１０５】
また、上述した実施形態では、表示制御部１７ａが評価の指示を取得したことをトリガとして、評価値が算出される例について説明したが、本開示はこれに限定されない。表示制御部１７ａが配合割合の情報を取得したことをトリガとして、配合割合に対する５つの基本味の数値と共に評価値が算出されても良い。
【０１０６】
また、上述した実施形態では、主に、「コーラ」等の清涼飲料を配合する例について説明したが、本開示はこれに限定されない。配合の素となる原料が複数存在し、その複数の原料を配合して別の配合物を生成する例であれば、本開示は適用される。例えば、カクテルやワインなどのアルコール飲料の配合する場合、料理に用いられるソース、タレ、ドレッシング等を配合する場合等であっても、本開示は適用される。また、配合される原料は、液状のものに限定されない。例えば、コーヒー豆、紅茶、緑茶などの茶葉等の固形物を配合（ブレンド）を行う場合であっても、本開示は適用される。
【０１０７】
また、上述した実施形態では、ディスペンサ１と、サーバ２とがネットワークＮを介して接続された構成について説明したが、本開示はこれに限定されない。ディスペンサ１とサーバ２とは、有線又は無線で直接接続されていても良い。また、サーバ２は、図示しない他のディスペンサと接続していてもよい。サーバ２は、複数のディスペンサと接続している場合、複数のディスペンサに対して情報を提供しても良いし、複数のディスペンサから取得する情報を管理してもよい。
【０１０８】
また、サーバ２の機能が、ネットワークＮに接続することができるスマートフォン等の無線端末上のアプリケーション、パーソナルコンピュータ上のソフトウェアで実現されても良い。あるいは、スマートフォン等の無線端末が、ネットワークＮを介して、サーバ２に対して配合情報等の情報を送信し、サーバ２から評価値等の情報を受信する構成であっても良い。
【０１０９】
また、ディスペンサ１がサーバ２の機能を有していても良い。以下、サーバ２の機能を有するディスペンサについて本実施形態の変形例として説明する。
【０１１０】
（一実施形態の変形例）
図１１は、本実施形態の変形例に係るディスペンサ３の構成の一例を示す図である。なお、図１１において、図１と同様の構成については同一の符番を付し、その説明を省略する。
【０１１１】
図１１に示すディスペンサ３は、図１に示したサーバ２の機能構成を有している。具体的には、ディスペンサ３は、図１に示したディスペンサ１に対して、通信部１０が除かれ、サーバ２の指標ＤＢ２１、自分レシピＤＢ２２が追加された構成を有する。また、ディスペンサ３のコントローラ３７は、図１に示したコントローラ１７に対して、成分算出部２３ａ、および、評価部２３ｂが追加された構成を有する。
【０１１２】
図１に示したシステム構成と図１１に示すディスペンサ３との相違点は、ディスペンサ３のコントローラ３７が、図１のサーバ２において実行された処理と同様の処理を実行して、科学的指標値の算出、および、評価値の算出が行う点である。
【０１１３】
以上、説明したように、本実施形態の変形例のディスペンサ３（本開示における配合装置）において、入力装置１２（本開示における入力部）は、複数の飲料原料と複数の飲料原料の配合割合とを示す配合情報を取得する。そして、成分算出部２３ａは、飲料原料の成分の科学的指標値と配合割合とに基づいて、複数の飲料原料を配合割合で配合した配合飲料の成分の科学的指標値を算出する。そして、評価部２３ｂは、配合飲料の成分の科学的指標値と、成分の科学的指標値の基準値との類似度に基づき、評価値を算出する。そして、表示装置１１（本開示における表示部）は、評価値を表示する。この構成により、ユーザ（利用者）が設定した飲料原料の配合が、科学的指標に基づいて適切かを評価可能となり、ユーザ（利用者）が容易に配合を調整できる。
【０１１４】
以上、図面を参照しながら各種の実施の形態について説明したが、本開示はかかる例に限定されないことは言うまでもない。当業者であれば、特許請求の範囲に記載された範疇内において、各種の変更例または修正例に想到し得ることは明らかであり、それらについても当然に本開示の技術的範囲に属するものと了解される。また、開示の趣旨を逸脱しない範囲において、上記実施の形態における各構成要素を任意に組み合わせてもよい。
【０１１５】
上記各実施の形態では、本開示はハードウェアを用いて構成する例にとって説明したが、本開示はハードウェアとの連携においてソフトウェアでも実現することも可能である。
【０１１６】
また、上記実施の形態の説明に用いた各機能ブロックは、典型的には集積回路であるＬＳＩとして実現される。集積回路は、上記実施の形態の説明に用いた各機能ブロックを制御し、入力と出力を備えてもよい。これらは個別に１チップ化されてもよいし、各機能ブロックの一部又は全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１１７】
また、集積回路化の手法にはＬＳＩに限らず、専用回路または汎用プロセッサを用いて実現してもよい。ＬＳＩ製造後に、プログラムすることが可能なＦＰＧＡ（Ｆｉｅｌｄ Ｐｒｏｇｒａｍｍａｂｌｅ Ｇａｔｅ Ａｒｒａｙ）、又は、ＬＳＩ内部の回路セルの接続、設定が再構成可能なリコンフィグラブル・プロセッサーを利用してもよい。
【０１１８】
更には、半導体技術の進歩または派生する別技術によりＬＳＩに置き換わる集積回路化の技術が登場すれば、当然、別技術を用いて機能ブロックの集積化を行ってもよい。バイオ技術の適用等が可能性としてあり得る。
【産業上の利用可能性】
【０１１９】
本開示は、飲料を提供するディスペンサの制御に有用である。
【符号の説明】
【０１２０】
１、３  ディスペンサ
２  サーバ
１０、２０  通信部
１１  表示装置
１２  入力装置
１３  飲料原料タンク
１４  抽出量制御機構
１５  飲料取出し口
１６  レシピＤＢ
１７、２３、３７  コントローラ
１７ａ  表示制御部
１７ｂ  抽出量制御部
２１  指標ＤＢ
２２  自分レシピＤＢ
２３ａ  成分算出部
２３ｂ  評価部
【図１】
2018094076.tif 000003
【図２】
2018094076.tif 000004
【図３】
2018094076.tif 000005
【図４】
2018094076.tif 000006
【図５】
2018094076.tif 000007
【図６】
2018094076.tif 000008
【図７】
2018094076.tif 000009
【図８】
2018094076.tif 000010
【図９】
2018094076.tif 000011
【図１０】
2018094076.tif 000012
【図１１】
2018094076.tif 000013